(57)【要約】【課題】例えばランドとグルーブとのように複数のトラックで最適記録条件が相違しても、最適記録条件を短時間で精度良く設定する。【解決手段】特性の異なる複数のトラックを有する光磁気ディスクＤに記録する光記録装置１において、少なくとも１つのトラックで試し書きを行い、当該トラックに記録する際の記録条件を決定する記録条件決定部２３と、記録条件決定部２３で決定された記録条件に基づき、演算用情報に従って演算を行って、残りのトラックに記録する際の記録条件を決定する記録条件演算部２４と、上記試し書きを行うトラックを切り替えるトラック切換部２２と、記録条件演算部２４に上記演算用情報を提供するとともに、トラック切換部２２によるトラックの切り換えごとに、切り換え前の試し書きの結果と切り換え後の試し書きの結果とに基づいて上記演算用情報を補正する演算用情報管理部２５とを具備する。【選択図】図１
2006179183.tif 000002
【特許請求の範囲】
【請求項１】
特性の異なる複数のトラックを有する光記録媒体に記録する光記録装置において、
少なくとも１つのトラックで試し書きを行い、当該トラックに記録する際の記録条件を決定する記録条件決定手段と、
上記記録条件決定手段で決定された記録条件に基づき、演算用情報に従って演算を行って、残りのトラックに記録する際の記録条件を決定する記録条件演算手段と、
上記試し書きを行うトラックを切り替えるトラック切換手段と、
上記記録条件演算手段に上記演算用情報を提供するとともに、上記トラック切換手段によるトラックの切り換えごとに、切り換え前の試し書きの結果と切り換え後の試し書きの結果とに基づいて上記演算用情報を補正する演算用情報管理手段とを具備したことを特徴とする光記録装置。
【請求項２】
上記光記録媒体が、上記トラックとして記録層を有する多層記録媒体であることを特徴とする請求項１に記載の光記録装置。
【請求項３】
上記演算用情報管理手段は、上記トラックに試し書きを行い、上記演算用情報を作成する作成手段を備えていることを特徴とする請求項１または２に記載の光記録装置。
【請求項４】
上記演算用情報管理手段は、上記演算用情報を上記光記録媒体へ書き込む記録手段を備えていることを特徴とする請求項１から３の何れか１項に記載の光記録装置。
【請求項５】
上記演算用情報管理手段は、上記演算用情報を上記光記録媒体から読み出す取得手段を備えていることを特徴とする請求項１から４の何れか１項に記載の光記録装置。
【請求項６】
特性の異なる複数のトラックを有する光記録媒体に記録する光記録方法において、
少なくとも１つのトラックで試し書きを行い、当該トラックに記録する際の記録条件を決定する記録条件決定処理と、
上記記録条件決定処理で決定した記録条件に基づき、演算用情報に従って演算を行って、残りのトラックに記録する際の記録条件を決定する記録条件演算処理と、
上記試し書きを行うトラックを切り替えるトラック切換処理と、
上記トラック切換処理によるトラックの切り換えごとに、切り換え前の試し書きの結果と切り換え後の試し書きの結果とに基づいて上記演算用情報を補正する演算用情報補正処理とを含むことを特徴とする光記録方法。
【請求項７】
上記光記録媒体が、上記トラックとして記録層を有する多層記録媒体であることを特徴とする請求項６に記載の光記録方法。
【請求項８】
請求項１から５の何れか１項に記載の光記録装置を動作させる制御プログラムであって、コンピュータを上記の各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、記録媒体に対して情報を記録する光記録装置および光記録方法に関し、特に、特性の異なる複数のトラックの記録条件をそれぞれ安定に最適化できる光記録装置および光記録方法、光記録装置の制御プログラムならびにそれを記録したコンピュータ読み取り可能な記録媒体に関するものである。
【背景技術】
【０００２】
近年、光ディスクの高密度化の研究がますます盛んである。特に、光ディスクに照射する光ビームの記録光量や、光磁気ディスクに印加する外部印加磁界の記録磁界強度などの記録条件が変化すると、記録マークの大きさが変動するため、一様な記録ができず、高密度記録が困難であるという問題点があった。
【０００３】
また、光ディスクは、製造のばらつきによって、それぞれ記録感度が異なる。つまり、光記録装置側からいえば、個々の光ディスクによって、適正な形状で記録マークを形成できる最適な記録条件、さらには半径位置による最適記録条件の傾向が異なる。さらに、記録感度は、光ディスク固有であるだけでなく、環境温度の変化によっても変化する。そのため、光記録装置では、装填された光ディスクごとに、また、変化する環境温度ごとに最適記録条件を調べる必要がある。実際には、これら最適記録条件は、異なる半径位置の複数のテスト領域において試し書きすることによって取得される。
【０００４】
一方、光ディスクにおいては、その容量をさらに増加させる方法として、ランドグルーブ記録がある。従来の光ディスクの記録は、ランドあるいはグルーブの一方のみに行われていた。これに対して、ランドグルーブ記録は、ランドとグルーブとの両方を記録トラックとして用いることにより、記録密度を向上させる方法である。
【０００５】
ランドグルーブ記録用媒体は、ランドおよびグルーブに同時に成膜が行われることから、記録層の特性にはほとんど差はないと考えられる。しかし、ランド幅とグルーブ幅との比率のばらつきや、ランドからグルーブへと、グルーブからランドへの熱伝導特性の差などにより、隣り合ったランドとグルーブでも、最適記録条件に相違が生じることがあるという問題点があった。
【０００６】
この問題点について、以下のような解決方法が提案されている。
【０００７】
まず、特許文献１には、ランドとグルーブとの両方に設けられた試し書きエリアにおいて、ランドとグルーブの両方に対して試し書きを行い、それぞれの適切な記録パワーを設定する記録パワー設定方法が開示されている。
【０００８】
また、特許文献２には、記録条件を示す識別子（光強度、トラックピッチ、溝の幅・深さ等）を設け、ランドおよびグルーブのそれぞれの記録条件を独立に設定する光学的情報記録再生方法が開示されている。特に、時間短縮あるいは回路簡素化のため、あらかじめランドとグルーブ間の相関関係を求めておき、一方の記録条件は試し書きを行って求め、他方の記録条件は相関関係を元に求めることが開示されている。
【特許文献１】特開平９−１６９６５号公報（公開日：平成９年１月１７日）
【特許文献２】特許３０２４１２０号公報（公開日：平成１２年１月２１日）
【発明の開示】
【発明が解決しようとする課題】
【０００９】
しかしながら、特許文献１に記載の方法では、ランドおよびグルーブの両方に対して試し書きを行い、それぞれ最適記録条件を求めている間、光記録装置はユーザの指示の下で行うべき記録や再生の動作を一定時間中断することになる。よって、このような中断が頻繁に起きれば、データ転送レートの低下、すなわち、光記録装置の性能低下は避けられない。
【００１０】
また、特許文献２に記載の方法では、試し書きを行ったトラックの方が、相関性を元に求めたトラックより記録光量設定の精度が高いため、記録光量設定を複数回行った場合、記録光量設定の精度に偏りが生じることがある。
【００１１】
本発明は、上記の問題点を解決するためになされたもので、その目的は、例えばランドとグルーブとのように複数のトラックで特性が相違しても、それぞれ最適記録条件を短時間で精度良く設定して記録できる光記録装置および光記録方法を提供することにある。また、本発明の目的には、上記光記録装置を実現する制御プログラム、およびこれを記録したコンピュータ読み取り可能な記録媒体を提供することも含まれる。
【課題を解決するための手段】
【００１２】
本発明の光記録装置は、上記の課題を解決するために、特性の異なる複数のトラックを有する光記録媒体に記録する光記録装置において、少なくとも１つのトラックで試し書きを行い、当該トラックに記録する際の記録条件を決定する記録条件決定手段と、上記記録条件決定手段で決定された記録条件に基づき、演算用情報に従って演算を行って、残りのトラックに記録する際の記録条件を決定する記録条件演算手段と、上記試し書きを行うトラックを切り替えるトラック切換手段と、上記記録条件演算手段に上記演算用情報を提供するとともに、上記トラック切換手段によるトラックの切り換えごとに、切り換え前の試し書きの結果と切り換え後の試し書きの結果とに基づいて上記演算用情報を補正する演算用情報管理手段とを具備したことを特徴としている。
【００１３】
また、本発明の光記録方法は、上記の課題を解決するために、特性の異なる複数のトラックを有する光記録媒体に記録する光記録方法において、少なくとも１つのトラックで試し書きを行い、当該トラックに記録する際の記録条件を決定する記録条件決定処理と、上記記録条件決定処理で決定した記録条件に基づき、演算用情報に従って演算を行って、残りのトラックに記録する際の記録条件を決定する記録条件演算処理と、上記試し書きを行うトラックを切り替えるトラック切換処理と、上記トラック切換処理によるトラックの切り換えごとに、切り換え前の試し書きの結果と切り換え後の試し書きの結果とに基づいて上記演算用情報を補正する演算用情報補正処理とを含むことを特徴としている。
【００１４】
上記の構成および方法により、複数のトラックを有する光記録媒体において、特性の異なる各トラックの記録条件を、少なくとも１つのトラック（第１のトラック）は試し書きを行って決定し、残りのトラック（第２のトラック）は第１のトラックの試し書きの結果に基づき演算用情報に従って演算することで決定する。
【００１５】
よって、記録感度が異なる複数のトラックに対して、少なくとも１つのトラックの記録条件は演算により設定できるため、記録条件設定のための時間を短縮することが可能となる。よって、光記録装置がユーザの指示の下で行うべき記録や再生の動作をトラックの記録条件を求めるために中断する時間を短縮できる。したがって、データ転送レートの低下などの光記録装置の性能低下を回避することが可能となる。
【００１６】
ここで、演算用情報に従って演算されたトラックの記録条件は、実際に試し書きを行って設定されたトラックの記録条件のよりも、精度が劣っている場合があると考えられる。
【００１７】
そこで、上記の構成および方法では、記録条件の設定が複数回行われるとき、試し書きを行うトラックを切り換えるとともに、トラックの切り換えの際、切り換え前の試し書きの結果と切り換え後の試し書きの結果とに基づいて演算用情報を補正する。
【００１８】
すなわち、前回の記録条件の設定で、第１のトラックに試し書きを行い、第２のトラックの記録条件を演算により求めた場合、トラックを切り換えた今回の記録条件の設定では、前回の第２のトラックの記録条件を試し書きによって決定するとともに、その結果に基づいて当該トラックの記録条件を求める演算用情報を補正し、補正後の演算用情報に前回の第２のトラックの試し書きの結果を適用して前回の第１のトラックの記録条件を演算により決定する。
【００１９】
よって、光記録媒体のそれぞれのトラックで試し書きを行った回数や記録環境に偏りが生じないように、試し書きを行うトラックを切り換えて、演算用情報を補正することが可能となる。したがって、演算による記録条件の精度を試し書きによる記録条件に近づけることにより、それぞれのトラックに設定される記録条件の精度の偏りを低減することができる。
【００２０】
さらに、本発明の光記録装置は、上記演算用情報管理手段は、上記トラックに試し書きを行い、上記演算用情報を作成する作成手段を備えていることを特徴としている。
【００２１】
上記の構成により、さらに、上記光記録装置は、作成手段によりトラックに試し書きを行い、その結果に基づいて、試し書きをしたトラックの記録条件を求めるための演算用情報を作成することができる。
【００２２】
よって、演算用情報が光記録装置あるいは光記録媒体にあらかじめ記録されていない場合には、試し書きを行って演算用情報を作成して、記録条件を設定することできる。
【００２３】
さらに、本発明の光記録装置は、上記演算用情報管理手段は、上記演算用情報を上記光記録媒体へ書き込む記録手段を備えていることを特徴としている。
【００２４】
上記の構成により、さらに、上記光記録装置は、記録手段により最新の演算用情報を光記録媒体の例えばテスト領域に記録できる。
【００２５】
よって、光記録媒体ごとに異なる記録条件を求めるための演算用情報を、それぞれの記録媒体に記録することができる。したがって、次回の情報を記録する際に、演算用情報を読み出して利用できるため、記録条件を高精度に設定することが可能となる。また、演算用情報を記録媒体に記録するため、異なる光記録装置でも、同じ演算用情報を利用できる。
【００２６】
さらに、本発明の光記録装置は、上記演算用情報管理手段は、上記演算用情報を上記光記録媒体から読み出す取得手段を備えていることを特徴としている。
【００２７】
上記の構成により、さらに、上記光記録装置は、取得手段により光記録媒体の例えばテスト領域に記録されている演算用情報を取得することができる。
【００２８】
よって、光記録媒体ごとに異なる記録条件を求めるための演算用情報を、それぞれの光記録媒体から読み出すことができる。したがって、光記録媒体に情報を記録する際、記録条件を高精度に設定することが可能となる。また、演算用情報が記録媒体に記録されているため、演算用情報を記録した光記録装置とは異なる光記録装置でも、同じ演算用情報を利用できる。
【００２９】
さらに、本発明の光記録装置は、上記光記録媒体が、上記トラックとして記録層を有する多層記録媒体であることを特徴としている。また、本発明の光記録方法は、上記光記録媒体が、上記トラックとして記録層を有する多層記録媒体であることを特徴としている。
【００３０】
上記の構成および方法により、記録層ごとに記録感度が異なる多層記録媒体においても、各記録層に対して最適に記録条件を設定できる。よって、記録層ごとに高感度に記録光量を設定できるため、光ディスクの容量を増加させることが可能となる。
【００３１】
また、本発明の制御プログラムは、コンピュータを上記の各手段として機能させるコンピュータ・プログラムである。
【００３２】
上記の構成により、コンピュータで上記光記録装置の各手段を実現することによって、上記光記録装置を実現することができる。したがって、上記光記録装置により、複数のトラックで特性が相違しても、それぞれ最適記録条件を短時間で精度良く設定して記録できる。
【００３３】
また、本発明の制御プログラムを記録したコンピュータ読み取り可能な記録媒体は、上記の各手段をコンピュータに実現させて、上記光記録装置を動作させる制御プログラムを記録したコンピュータ読み取り可能な記録媒体である。
【００３４】
上記の構成により、上記記録媒体から読み出された制御プログラムによって、上記光記録装置をコンピュータ上に実現することができる。
【発明の効果】
【００３５】
以上のように、本発明の光記録装置は、特性の異なる複数のトラックを有する光記録媒体に記録する光記録装置において、少なくとも１つのトラックで試し書きを行い、当該トラックに記録する際の記録条件を決定する記録条件決定手段と、上記記録条件決定手段で決定された記録条件に基づき、演算用情報に従って演算を行って、残りのトラックに記録する際の記録条件を決定する記録条件演算手段と、上記試し書きを行うトラックを切り替えるトラック切換手段と、上記記録条件演算手段に上記演算用情報を提供するとともに、上記トラック切換手段によるトラックの切り換えごとに、切り換え前の試し書きの結果と切り換え後の試し書きの結果とに基づいて上記演算用情報を補正する演算用情報管理手段とを具備した構成である。
【００３６】
また、本発明の光記録方法は、特性の異なる複数のトラックを有する光記録媒体に記録する光記録方法において、少なくとも１つのトラックで試し書きを行い、当該トラックに記録する際の記録条件を決定する記録条件決定処理と、上記記録条件決定処理で決定した記録条件に基づき、演算用情報に従って演算を行って、残りのトラックに記録する際の記録条件を決定する記録条件演算処理と、上記試し書きを行うトラックを切り替えるトラック切換処理と、上記トラック切換処理によるトラックの切り換えごとに、切り換え前の試し書きの結果と切り換え後の試し書きの結果とに基づいて上記演算用情報を補正する演算用情報補正処理とを含む方法である。
【００３７】
それゆえ、記録感度が異なる複数のトラックに対して、少なくとも１つのトラックの記録条件は演算により設定できるため、記録条件設定のための時間を短縮することが可能となる。よって、光記録装置がユーザの指示の下で行うべき記録や再生の動作をトラックの記録条件を求めるために中断する時間を短縮できる。したがって、データ転送レートの低下などの光記録装置の性能低下を回避することが可能となるという効果を奏する。
【００３８】
加えて、光記録媒体のそれぞれのトラックで試し書きを行った回数や記録環境に偏りが生じないように、試し書きを行うトラックを切り換えて、演算用情報を補正することが可能となる。したがって、演算による記録条件の精度を試し書きによる記録条件に近づけることにより、それぞれのトラックに設定される記録条件の精度の偏りを低減することができるという効果を奏する。
【００３９】
さらに、本発明の光記録装置は、上記演算用情報管理手段は、上記トラックに試し書きを行い、上記演算用情報を作成する作成手段を備えている構成である。
【００４０】
それゆえ、さらに、演算用情報が光記録装置あるいは光記録媒体にあらかじめ記録されていない場合には、試し書きを行って演算用情報を作成して、記録条件を設定することできるという効果を奏する。
【００４１】
さらに、本発明の光記録装置は、上記演算用情報管理手段は、上記演算用情報を上記光記録媒体へ書き込む記録手段を備えている構成である。
【００４２】
それゆえ、さらに、光記録媒体ごとに異なる記録条件を求めるための演算用情報を、それぞれの記録媒体に記録することができる。したがって、次回の情報を記録する際に、演算用情報を読み出して利用できるため、記録条件を高精度に設定することが可能となるという効果を奏する。また、演算用情報を記録媒体に記録するため、異なる光記録装置でも、同じ演算用情報を利用できるという効果を奏する。
【００４３】
さらに、本発明の光記録装置は、上記演算用情報管理手段は、上記演算用情報を上記光記録媒体から読み出す取得手段を備えている構成である。
【００４４】
それゆえ、さらに、光記録媒体ごとに異なる記録条件を求めるための演算用情報を、それぞれの光記録媒体から読み出すことができる。したがって、光記録媒体に情報を記録する際、記録条件を高精度に設定することが可能となるという効果を奏する。また、演算用情報が記録媒体に記録されているため、演算用情報を記録した光記録装置とは異なる光記録装置でも、同じ演算用情報を利用できるという効果を奏する。
【００４５】
さらに、本発明の光記録装置は、上記光記録媒体が、上記トラックとして記録層を有する多層記録媒体である。また、本発明の光記録方法は、上記光記録媒体が、上記トラックとして記録層を有する多層記録媒体である。
【００４６】
それゆえ、記録層ごとに記録感度が異なる多層記録媒体においても、各記録層に対して最適に記録条件を設定できる。よって、記録層ごとに高感度に記録光量を設定できるため、光ディスクの容量を増加させることが可能となるという効果を奏する。
【００４７】
また、本発明の制御プログラムは、コンピュータを上記の各手段として機能させるコンピュータ・プログラムである。
【００４８】
それゆえ、コンピュータで上記光記録装置の各手段を実現することによって、上記光記録装置を実現することができる。したがって、上記光記録装置により、複数のトラックで特性が相違しても、それぞれ最適記録条件を短時間で精度良く設定して記録できるという効果を奏する。
【００４９】
また、本発明の制御プログラムを記録したコンピュータ読み取り可能な記録媒体は、上記の各手段をコンピュータに実現させて、上記光記録装置を動作させる制御プログラムを記録したコンピュータ読み取り可能な記録媒体である。
【００５０】
それゆえ、上記記録媒体から読み出された制御プログラムによって、上記光記録装置をコンピュータ上に実現することができるという効果を奏する。
【発明を実施するための最良の形態】
【００５１】
本発明の一実施の形態について図１から図７に基づいて説明すれば、以下のとおりである。
【００５２】
なお、本実施の形態では、光磁気記録を例に挙げて説明する。また、説明の便宜上、記録条件の最適化を、磁界変調記録における記録光量の最適化を例に挙げて説明する。
【００５３】
図２は、本実施の形態に係る光記録装置１の構成の概略を示すブロック図である。
【００５４】
上記光記録装置１に装填される光磁気ディスクＤは、凸部であるランドと案内溝であるグルーブとを有する案内溝つき基板を用いた、ランドおよびグルーブの両方を記録再生用トラックとする光記録媒体である。
【００５５】
上記光記録装置１は、回転する光磁気ディスクＤのトラック（ランドあるいはグルーブ）へ、制御部２０がピックアップ駆動回路１４を介してピックアップ１３を移動させる。ピックアップ１３には、光ヘッド１１および磁気ヘッド１２が設けられている。そして、制御部２０がレーザ駆動回路１５を介して記録光量を設定し、光ヘッド１１から記録用のレーザビームを光磁気ディスクＤの記録部位に照射すると同時に、制御部２０が磁気ヘッド駆動回路１６を介して、磁気ヘッド１２から記録磁界を発生させることによって、光磁気ディスクＤのトラックに情報を記録する。
【００５６】
また、上記光記録装置１は、制御部２０がピックアップ駆動回路１４を介してピックアップ１３を光磁気ディスクＤの記録部位へ移動させる。そして、制御部２０がレーザ駆動回路１５を介して光ヘッド１１から再生用のレーザビームを光磁気ディスクＤに照射する。光ヘッド１１が検出した反射光は再生回路１７で再生信号ｇに変換され、制御部２０に入力される。これにより、上記光記録装置１は、光磁気ディスクＤのトラックに記録された情報を再生する。
【００５７】
ここで、上記光記録装置１は、メモリ３１と、センサ３２とが特に設けられている。メモリ３１は、制御部２０から演算用情報（後述）をデータａとして読み書き可能な記憶装置である。また、上記センサ３２は、光磁気ディスクＤへの記録環境の変化を検出するためのセンサであり、例えば、光磁気ディスクＤの記録部位の温度を検出する温度センサである。そして、検出した結果を検出信号ｂとして制御部２０へ出力する。
【００５８】
このように、上記光記録装置１は、特性の異なる２つのトラックすなわちランドおよびグルーブを有する光磁気ディスクＤに、情報を記録する。光記録装置１は、光磁気ディスクＤのテスト領域Ｄｂ（図７）における試し書きと演算用情報とに基づいて、ランドおよびグルーブの記録条件をそれぞれ設定する。そして、その記録条件によって各トラックに情報を記録する。なお、光記録装置１の記録条件設定後のユーザ領域Ｄａ（図７）への記録動作は、一般に知られた動作と同様である。
【００５９】
なお、テスト領域Ｄｂの位置は、図７に示した位置に限らず、光磁気ディスクＤの任意の半径位置に存在していても構わないし、複数存在していても構わない。
【００６０】
つづいて、上記光記録装置１における記録条件の設定について、構成および動作手順を詳細に説明する。
【００６１】
図１は、上記光記録装置１の記録条件設定のために制御部２０に設けられている構成を示すブロック図である。
【００６２】
上記制御部２０は、記録条件設定制御部２１、トラック切換部（トラック切換手段）２２、記録条件決定部（記録条件決定手段）２３、記録条件演算部（記録条件演算手段）２４、演算用情報管理部（演算用情報管理手段）２５を備えて構成されている。
【００６３】
上記記録条件設定制御部２１は、光磁気ディスクＤが光記録装置１に装填された時に加えて、情報を記録動作中にも、センサ３２の検出信号ｂから記録環境に所定の変化が検出された時や、前回の試し書きから所定時間が経過した時などに、記録条件設定の動作を適宜起動する。
【００６４】
上記トラック切換部２２は、記録条件決定部２３で試し書きにより記録条件を決定するトラックを選択する。また、上記トラック切換部２２は、試し書きを行うトラックの切り換えを決定した時、演算用情報管理部２５に演算用情報の更新を指示する。
【００６５】
ここで、トラックの切り換えは、それぞれのトラックに設定される記録条件の精度を平均化するため、光磁気ディスクＤのそれぞれのトラックで試し書きを行った回数や記録環境に偏りが生じないように行う。例えば、ユーザ領域Ｄａ（図７）へ記録を行うときに使用するトラックに応じて、試し書きを行うトラックを選択してもよい。具体的には、ユーザ領域Ｄａのランドに記録を行う前の記録条件設定では、テスト領域Ｄｂのランドで試し書きを行ってランドの記録条件を設定し、グルーブの記録条件は演算により設定してもよい。
【００６６】
上記記録条件決定部２３は、トラック切換部２２で選択されたトラック（以下、「選択トラック」と記す。）（第１のトラック）に試し書きを行い、選択トラックの記録条件を決定する。
【００６７】
上記記録条件演算部２４は、トラック切換部２２で選択されなかったトラック（以下、「非選択トラック」と記す。）（第２のトラック）に対して、記録条件決定部２３で決定された選択トラックの記録条件に基づいて演算を行い、非選択トラックの記録条件を決定する。
【００６８】
上記演算用情報管理部２５は、上記記録条件演算部２４が非選択トラックの記録条件を演算する際に使用する演算用情報を管理し、記録条件演算部２４に提供する。
【００６９】
ここで、記録光量の設定では、演算用情報は、所定の定数の形や、ランドおよびグルーブそれぞれに対する基準記録光量の情報という形で管理される。演算用情報は、両トラック相互の相関性に基づいて作成されている。また、演算用情報は、例えば、ランドおよびグルーブの記録光量の比や差などの所定の定数の形であらかじめ光磁気ディスクＤのテスト領域Ｄｂに記録しておいてもよいし、あらかじめ光磁気ディスクＤ上に記録されているランドおよびグルーブそれぞれに対する基準記録光量の情報を基に演算用情報管理部２５が演算用情報を作成してもよい。具体的には、ランドおよびグルーブそれぞれに対する基準記録光量をＰｗ０（Ｌ），Ｐｗ０（Ｇ）とした場合、それらの比α＝Ｐｗ０（Ｇ）／Ｐｗ０（Ｌ）、あるいは、差ΔＰｗ＝Ｐｗ０（Ｌ）−Ｐｗ０（Ｇ）などを演算用情報として作成する。
【００７０】
以降、本実施の形態では、演算用情報として、ランドおよびグルーブの記録光量の比αを用いて、説明を行うことにする。また、演算用情報はテスト領域Ｄｂに記録するとして説明を行うが、演算用情報を記録する領域は、光磁気ディスクＤ上のどこでも構わない。なお、演算用情報はメモリ３１に一時的に格納される。
【００７１】
そこで、上記演算用情報管理部２５は、次の機能を特に有している。（１）光磁気ディスクＤのテスト領域Ｄｂにあらかじめ記録されている演算用情報を読み出す（取得部（取得手段）２５ａ）。（２）記録条件決定部２３で選択トラックに試し書きを行った結果あるいは結果から決定した記録条件に基づいて演算用情報を作成する（作成部（作成手段）２５ｂ）。（３）上記トラック切換部２２の指示により、試し書きを行うトラックを切り換える時、切り換えの直前の試し書きあるいは数回前からの試し書きによる記録条件と、切り換え後の試し書きによる記録条件とに基づいて、記録条件の演算に用いる演算式等を定義する演算用情報を補正する（補正部２５ｃ）。（４）新たに作成した演算用情報によってメモリ３１内の演算用情報を更新する（更新部２５ｄ）。（５）メモリ３１に格納されている最新の演算用情報を光磁気ディスクＤのテスト領域Ｄｂに、光記録装置１以外の光記録装置によっても読み取り可能に記録する（記録部（記録手段）２５ｅ）。
【００７２】
図３は、上記光記録装置１における記録光量設定の具体的動作を説明するフローチャートである。以下、図３を参照しながら、記録光量の最適化の基本的な動作について説明する。
【００７３】
まず、光記録装置１に光磁気ディスクＤが装填された時、演算用情報管理部２５の制御により、テスト領域Ｄｂの演算用情報が記録されている領域にアクセスして（Ｓ１）、演算用情報を読み出し、メモリ３１に格納する（Ｓ２）。
【００７４】
つぎに、記録条件決定部２３の制御により、一方のトラックの最適記録光量を試し書きにより決定する。具体的には、まず、光磁気ディスクＤ上のテスト領域Ｄｂにアクセスする（Ｓ３）。つづいて、トラック切換部２２が、ランドとグルーブのうちから試し書きを行うトラック（選択トラック）を選択する（Ｓ４）。ここでは、ランドを選択したものとする。そして、記録条件決定部２３が、ステップＳ４で選択したトラック（ランド）に試し書きを行い（Ｓ５）、ランドＴｒ（Ｌ）における最適記録光量Ｐｗ（Ｌ）を決定する（Ｓ６）。
【００７５】
つぎに、記録条件演算部２４の制御により、他方のトラックの最適記録光量を演算により決定する。具体的には、まず、演算用情報管理部２５がメモリ３１内の演算用情報を読み出す（Ｓ７）。そして、記録条件演算部２４が、演算用情報管理部２５を介して、演算用情報とステップＳ６で求めたランドＴｒ（Ｌ）における最適記録光量Ｐｗ（Ｌ）とを取得し、これらを用いて演算処理を行って（Ｓ８）、グルーブＴｒ（Ｇ）における最適記録光量Ｐｗ（Ｇ）を決定する（Ｓ９）。つまり、演算用情報である係数αとランドＴｒ（Ｌ）における最適記録光量Ｐｗ（Ｌ）を用いて、グルーブＴｒ（Ｇ）における最適記録光量Ｐｗ（Ｇ）は、Ｐｗ（Ｇ）＝α×Ｐｗ（Ｌ）で表すことができる。
【００７６】
ここで、図３のフローチャートに示した上記の処理を行う際の光記録装置１の動作を、図２を参照しながら説明する。
【００７７】
まず、光記録装置１に光磁気ディスクＤが装填された時、制御部２０は制御命令ｃ１をピックアップ駆動回路１４へ送出する。この制御命令ｃ１に基づき、ピックアップ駆動回路１４が、ピックアップ１３を光磁気ディスクＤ上の演算用情報が記録されている領域へと移動させる。制御部２０は制御命令ｃ３をレーザ駆動回路１５に送出して、ピックアップ１３内の光ヘッド１１から再生用のレーザビームを光磁気ディスクＤに照射する。そして、光ヘッド１１により反射光を検出して電気信号ｆに変換した後、再生回路１７が生成した再生信号ｇを制御部２０に入力する。制御部２０は、この再生信号ｇを演算用情報としてメモリ３１に格納する。
【００７８】
つぎに、制御部２０は制御命令ｃ１をピックアップ駆動回路１４に送出して、ピックアップ１３をテスト領域へ移動させる。つづいて、制御部２０は制御命令ｃ３をレーザ駆動回路１５へ送出して記録光量を設定し、レーザ駆動回路１５から出力された駆動電流ｅによって、光ヘッド１１から記録用のレーザビームを光磁気ディスクＤに照射する。これと同時に、制御部２０は制御命令ｃ２を磁気ヘッド駆動回路１６に送出して、駆動電流ｄが発生される。この駆動電流ｄによって磁気ヘッド１２から記録磁界が発生し、光磁気ディスクＤ上に試し書き用パターンが記録される。ここで、制御部２０（記録条件決定部２３）は、制御命令ｃ３を制御することにより記録光量を小さい光量から大きい光量の範囲の中で順次変化させると同時に、制御命令ｃ１を制御することにより選択されたトラック（ここでは、ランド）に光ヘッド１１を移動しながら、試し書き用パターンを記録する。
【００７９】
つぎに、制御部２０は制御命令ｃ３をレーザ駆動回路１５に送出して、光ヘッド１１から再生用のレーザビームを光磁気ディスクＤに照射する。光ヘッド１１は、光磁気ディスクＤからの反射光を電気信号ｆに変換した後、再生回路１７に与える。再生回路１７は記録された試し書き用パターンの再生信号ｇを生成して、制御部２０へ出力する。
【００８０】
そして、制御部２０（記録条件決定部２３）は、各記録光量に対応する試し書き用パターンの再生信号ｇを順次記憶していき、所定条件を満たす記録光量をランドにおける最適な記録光量Ｐｗ（Ｌ）に決定する。ここで、試し書きにより最適な記録光量を検出する方法は、任意に選択できる。例えば、エラーやジッタが最小となる記録光量を検出しても良いし、信号振幅が所定値になる記録光量を検出しても良い。
【００８１】
つづいて、制御部２０（記録条件演算部２４）は、メモリ３１から読み出した演算用情報によって決定される演算式に従って、上で求めたランドの最適記録光量Ｐｗ（Ｌ）に演算を加えることにより、グルーブの記録光量Ｐｗ（Ｇ）を決定する。
【００８２】
なお、上記の説明では、まず試し書き動作（Ｓ５）によりランドＴｒ（Ｌ）の最適記録光量Ｐｗ（Ｌ）を決定した後、演算によりグルーブＴｒ（Ｇ）の最適記録光量Ｐｗ（Ｇ）を決定しているが、当然ながら、まず試し書き動作によりグルーブＴｒ（Ｇ）の最適記録光量Ｐｗ（Ｇ）を決定した後、ランドＴｒ（Ｌ）の最適記録光量Ｐｗ（Ｌ）を演算により設定しても良い。このときの演算は、Ｐｗ（Ｌ）＝（１／α）×Ｐｗ（Ｇ）で表すことができる。
【００８３】
以上のように、上記光記録装置１では、ランドとグルーブの記録感度が異なる場合にも、一方のトラックの記録条件を試し書きを実行して決定し、他方のトラックの記録条件は一方のトラックの記録条件を基に演算によって決定するため、記録条件設定の時間を短縮できる。よって、記録条件設定のための中断によるデータ転送レートの低下が回避できる。
【００８４】
ここで、一般に、設定された記録条件は、実際に試し書きを行って設定されたトラックの記録条件の方が、演算用情報に従って演算されたトラックの記録条件よりも、精度良く設定されていると考えられる。
【００８５】
そこで、上記光記録装置１では、記録条件の設定が複数回行われるとき、試し書きを行うトラックとして、例えば、まずランドを少なくとも１回選択し、グルーブの記録光量は演算により設定する。次に、試し書きを行うトラックとして、グルーブを少なくとも１回選択し、ランドの記録光量は演算により設定する。
【００８６】
これにより、上記光記録装置１は、記録条件設定の時間を短縮できる上、演算式を決定する演算用情報を補正して、それぞれのトラックに設定される記録条件の精度の偏りを低減することができる。
【００８７】
以下、上記のトラックの切り換えについて、図４のフローチャートを参照しながら説明する。
【００８８】
なお、上記光記録装置１では、記録条件の設定が、光磁気ディスクＤが光記録装置１に装填された時以外にも、環境温度に所定の変化が検出された時や前回の試し書き動作から所定時間が経過した時などにも行われる。そして、光記録装置１に光磁気ディスクＤが装填された後は、演算用情報がメモリ３１に格納されているため、図３のステップＳ１およびＳ２は省略できる。
【００８９】
図４に示すように、記録条件設定制御部２１がセンサ３２の検出信号ｂ等により記録条件の設定処理を起動すると、まず、トラック切換部２２が試し書きを行うトラックの切り換えの要否を判定する（Ｓ１０）。
【００９０】
ここで、トラック切換部２２がトラックの切り換えを行うと判定した場合（ＹＥＳ）、演算用情報管理部２５が、切り換え前の選択トラックの直前の試し書きあるいは数回前から直前までの試し書きによる記録条件をメモリ３１から読み出して、記録条件演算部２４がそのトラックの記録条件を決定する（Ｓ１１）。例えば、切り換え前の選択トラックの直前に試し書きによる記録条件をそのまま用いてもよい。あるいは、数回前から直前までの試し書きによる記録条件の履歴を用いて、予測される記録条件を演算により作成してもよい。具体的には、試し書きによる記録条件の履歴を基に、直線補間や２次補間などの補間や、平均値を求めて作成してもよい。また、試し書きによる記録条件をメモリ３１に記録する際、その時のセンサ３２の検出信号を記録条件に対応付けて記憶しておき、記録条件を読み出す際、現在のセンサ３２の検出信号に近い値の検出信号を、メモリ３１に記録した検出信号から探し、得られた検出信号に対応する記録条件を読み出して用いてもよい。
【００９１】
その後、トラック切換部２２が、試し書きを行う新たなトラックを選択する（Ｓ１２）。つづいて、記録条件決定部２３が、選択トラックの試し書きを行い（Ｓ１３）、選択トラックの記録条件を決定する（Ｓ１４）。そして、ステップＳ１１およびＳ１４において決定した記録条件を用いて、演算用情報を補正し（Ｓ１５）、メモリ３１に格納する（Ｓ１６）。
【００９２】
一方、トラック切換部２２がトラックの切り換えを行わない判定した場合（ＮＯ）、図３のステップＳ３からＳ９と同様である。すなわち、記録条件決定部２３が、選択トラックの試し書きを行い（Ｓ１７）、選択トラックの記録条件を決定する（Ｓ１８）。その後、記録条件演算部２４が、選択トラックの記録条件に基づき、演算用情報が定義する演算式に従って非選択トラックの記録条件を演算して（Ｓ１９）、非選択トラックの記録条件を決定する（Ｓ２０）。
【００９３】
ここで、図３に示した記録光量の設定方法では、演算用情報は、所定の定数の形や、ランドおよびグルーブそれぞれに対する基準記録光量の情報という形であらかじめ光磁気ディスクＤ上に記録されている。
【００９４】
これに対して、上記光記録装置１は、演算用情報が光磁気ディスクＤ上にあらかじめ記録されていない場合には、試し書きを行って演算用情報を作成する。
【００９５】
図５は、試し書きを行って演算用情報を作成する具体的動作を示すフローチャートである。
【００９６】
まず、記録条件決定部２３の制御により、光磁気ディスクＤ上のテスト領域Ｄｂにアクセスする（Ｓ２１）。つぎに、ランドに対して試し書きを行い（Ｓ２２）、ランドＴｒ（Ｌ）における最適記録光量Ｐｗ（Ｌ）を決定する（Ｓ２３）。つづいて、グルーブに対して試し書きを行い（Ｓ２４）、グルーブＴｒ（Ｇ）における最適記録光量Ｐｗ（Ｇ）を決定する（Ｓ２５）。そして、演算用情報管理部２５が、最適記録光量Ｐｗ（Ｌ）およびＰｗ（Ｇ）に基づいて、演算用情報を作成する（Ｓ２６）。最後に、ステップＳ２６で作成した演算用情報をメモリ３１に格納する（Ｓ２７）。
【００９７】
当然ながら、試し書き動作により、グルーブＴｒ（Ｇ）における最適記録光量Ｐｗ（Ｇ）を決定した後、ランドＴｒ（Ｌ）における最適記録光量Ｐｗ（Ｌ）を決定してもよい。
【００９８】
このように、上記光記録装置１は、あらかじめ光磁気ディスクＤ上に演算用情報が記録されていない場合には、試し書きを行って演算用情報を作成し、メモリ３１に格納することができる。
【００９９】
よって、次回、記録条件を設定するときには、演算用情報がメモリ３１にすでに格納されているため、図３のステップＳ１およびＳ２を省略した動作により、ランドおよびグルーブのトラックの記録条件を設定することができる。
【０１００】
さらに、上記光記録装置１は、試し書きを少なくとも一回ごとにランドおよびグルーブの両方で行って、演算式を補正して演算用情報を作成し、メモリ３１に格納された演算用情報を更新することができる。なお、この動作のフローチャートは図５と同じである。
【０１０１】
よって、上記光記録装置１では、試し書きを少なくとも一回ごとにランドとグルーブの両方で行って、演算式を補正することで、記録条件演算部２４における演算の精度をさらに上げて記録条件を決定することが可能となる。
【０１０２】
さらに、上記光記録装置１は、記録条件の演算に用いる演算用情報を、光磁気ディスクＤに記録することができる。
【０１０３】
図６は、メモリ３１に格納されている演算用情報を、光磁気ディスクＤ上に記録する具体的動作を説明するフローチャートである。
【０１０４】
まず、記録条件決定部２３の制御により、試し書きを少なくとも一回ごとにランドおよびグルーブの両方で行って、演算式を補正して演算用情報を作成し直し、メモリ３１内の演算用情報を更新した結果、メモリ３１には最新の演算用情報が格納されている。そこで、この演算用情報をメモリ３１から読み出し（Ｓ３１）、光磁気ディスクＤのテスト領域Ｄｂに記録する（Ｓ３２）。
【０１０５】
このように、上記光記録装置１は、更新された演算用情報を光磁気ディスクＤに記録することで、最新のランドおよびグルーブの特性差を示す情報を光磁気ディスクＤに保存することができる。よって、同一の光記録装置１だけでなく、異なる光記録装置においても、この光磁気ディスクＤを装填して情報を記録する際、ランドおよびグルーブの特性差を示す最新の演算用情報を基に記録条件を設定できる。
【０１０６】
以上のように、本実施の形態に係る光記録装置および光記録方法は、ランドグルーブ記録用媒体において、特性の異なるランドおよびグルーブの最適記録条件をそれぞれ決定する動作を複数回行うとき、ランドおよびグルーブの一方のトラックを試し書きにより最適記録条件を決定するトラックとして、少なくとも一回あるいは複数回選択して、試し書きにより最適記録条件を決定し、他方のトラックは試し書きにより得られた最適記録条件に対して演算用情報に従って演算を加えることで、最適記録条件を決定する。
【０１０７】
これにより、記録感度が異なるトラックに対して、一方のトラックは試し書きにより、他方のトラックは演算により、適切な記録条件を設定することができ、記録条件設定のための時間を短縮することができる。よって、ランドとグルーブとで最適記録条件が相違する場合に、ランドおよびグルーブの最適記録条件を求めている間、光記録装置がユーザの指示の下で行うべき記録や再生の動作を中断する時間を短縮できる。したがって、データ転送レートの低下等、光記録装置の性能低下を回避することが可能となる。
【０１０８】
そして、上記の光記録装置および光記録方法は、次の動作では、試し書きにより最適記録条件を決定するトラックとして他方のトラックを選択し、他方のトラックを試し書きにより最適記録条件を決定するとともに、前回までの試し書きで決定した一方のトラックの最適記録条件に基づいて、一方のトラックの最適記録条件を演算するための演算用情報を補正して、他方のトラックの試し書きにより得られた最適記録条件に対して補正後の演算用情報に従って演算を加えることで、一方のトラックの最適記録条件を決定する。
【０１０９】
このように、試し書きを行うトラックを切り換えることにより、記録条件設定を複数回行う場合、一方のトラックに試し書きあるいは演算が偏らず、記録条件設定の精度に偏りが生じることを防止できる。また、トラックを切り換えるたびに演算用情報を直前の試し書きの結果に基づいて補正するため、演算による記録条件の精度を上げて最適記録条件を設定することが可能となる。
【０１１０】
また、上記の光記録装置および光記録方法は、特性の異なるランドおよびグルーブの最適記録条件をそれぞれ決定する動作を複数回行うとき、少なくとも一回、あるいは複数回ごとに、ランドおよびグルーブの両方で試し書きによりそれぞれ最適記録条件を決定し、それらの最適記録条件をもとに、最適記録条件を演算するための情報を更新する。
【０１１１】
これにより、演算による記録条件の精度をさらに上げて最適記録条件を設定することが可能となる。
【０１１２】
したがって、上記の光記録装置および光記録方法は、ランドグルーブ記録を行う光ディスクのテストライト動作を短時間で行う手法として有用である。しかも、今後の高密度記録においても、高速かつ高精度に光ビームパワーの条件を設定できる。
【０１１３】
なお、本実施の形態は本発明の範囲を限定するものではなく、本発明の範囲内で種々の変更が可能である。
【０１１４】
例えば、光磁気記録媒体の複数のトラックＴｒのうち、ランドのトラックＴｒ（Ｌ）とグルーブのトラックＴｒ（Ｇ）での最適な記録光量を求める場合について説明したが、もちろん、他のトラックについても同様に求めることができる。よって、記録光量の設定は、各トラックにおいて少なくとも１回行うことが望ましいが、ランドおよびグルーブそれぞれにおいて少なくとも１回記録光量の設定を行えば、必ずしもすべてのトラックで行う必要はなく、例えば複数トラックごとに１回行ってもよい。
【０１１５】
また、本実施の形態は、設定する記録条件として記録磁界強度を最適化する場合にも適用できる。また、磁界変調記録を例に挙げて説明したが、光変調記録においても、高感度に記録光量を設定することができる。さらに、光磁気記録に限定されず、相変化記録等の他の光記録媒体においても同様に実施することが可能である。
【０１１６】
特に、本実施の形態において説明した方法は、ランドグルーブ記録や多層記録を含め、特性の異なる複数の記録領域群を有する光記録媒体に好適である。なお、多層記録は光ディスクの容量を増加させる一方法であるが、多層記録用媒体の記録層の特性差、すなわち記録層ごとに記録感度が異なるため、最適記録条件に相違が生じる。そこで、上記方法を適用することにより、多層記録においても、各記録層に対して高感度に記録光量を設定することができる。
【０１１７】
具体的には、上記光記録方法を、記録層を２層有する光記録媒体への記録に適用する場合、上述の説明において、ランドおよびグルーブを２層の記録層の一方とそれぞれ読み替えればよい。
【０１１８】
さらに、上記光記録方法を、記録層を３層以上有する光記録媒体への記録に適用する場合、１層の記録層の記録条件を設定するために、複数の記録層に対して試し書きを行うこともできる。
【０１１９】
この場合、試し書きを行った記録層のうちの１層の最適記録条件を選択し、その記録条件に基づき、試し書きを行っていない残りの記録層に対して演算用情報に従って演算を行って、各記録層の最適記録条件を決定してもよい。また、試し書きを行った記録層のうち、一部の層あるいはすべての層の最適記録条件を選択し、これらの最適記録条件に基づき、試し書きを行っていない残りの各記録層に対して演算用情報に従って演算を行えば、各記録層に対して記録条件が複数得られる。これら複数の記録条件に対して、平均や、各層の位置（層間の距離）に基づいた重み付けなどの演算を施すことにより、各記録層の最適記録条件を決定してもよい。また、試し書きを複数の記録層に対して行った場合でも、試し書きで得られた最適記録条件に基づき、これらの記録層間における演算用情報を更新することができる。
【０１２０】
また、上記光記録装置１は、制御部２０の各機能を実現するプログラム（制御プログラム・記録条件決定プログラム）の命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０１２１】
そして、本発明の目的は、上述した機能を実現するソフトウエアである制御プログラムのプログラムコード（実行形式プログラム、中間コードプログラム、ソースプログラム）をコンピュータで読み取り可能に記録した記録媒体を、上記光記録装置１に供給し、そのコンピュータ（またはＣＰＵやＭＰＵ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【０１２２】
最後に、本発明に係る光記録方法は、特性の異なる複数の記録領域群（トラック）を含む光記録媒体に情報を記録する光記録方法において、各記録領域群の最適記録条件を決定する動作を複数回行うとき、少なくとも１つの記録領域群を、試し書きにより最適記録条件を決定する記録領域群として、少なくとも一回、あるいは複数回選択し、残りの記録領域群は試し書きにより得られた最適記録条件に対して演算を加えることで、最適記録条件を決定するステップと、次の動作では、試し書きにより最適記録条件を決定する記録領域群として、前記残りの記録領域群の中から、少なくとも１つの記録領域群を選択し、それ以外の記録領域群は試し書きにより得られた最適記録条件に対して演算を演算を加えることで、最適記録条件を決定するステップとを含む方法であってもよい。
【０１２３】
上記光記録方法は、最適記録条件を演算するための情報が光記録媒体にあらかじめ記録されていてもよい。
【０１２４】
上記光記録方法は、各記録領域群で試し書きにより、それぞれの最適記録条件を決定し、それらの最適記録条件をもとに、最適記録条件を演算するための情報を作成するステップを含んでいてもよい。
【０１２５】
上記光記録方法は、各記録領域群の最適記録条件を決定する動作を複数回行うとき、少なくとも一回、あるいは複数回ごとに、各記録領域群で試し書きによりそれぞれの最適記録条件を決定し、それらの最適記録条件をもとに、最適記録条件を演算するための情報を更新するステップを含んでいてもよい。
【０１２６】
上記光記録方法は、新たに作成された、最適記録条件を演算するための情報を光記録媒体に記録するステップを含んでいてもよい。
【０１２７】
上記光記録方法は、特性の異なる複数の記録領域群を含む光記録媒体に情報を記録する光記録方法において、少なくとも１つの記録領域群の最適記録条件を試し書きにより決定するステップと、それ以外の記録領域群は、光記録媒体に記録されている演算のための情報を読出し、試し書きにより得られた最適記録条件に対して演算を加えることで、最適記録条件を決定するステップとを含んでいてもよい。
【０１２８】
また、本発明に係る光記録装置は、特性の異なる複数の記録領域群を含む光記録媒体に情報を記録する光記録装置において、各記録領域群の最適記録条件を決定する動作を複数回行うとき、試し書きにより最適記録条件を決定する記録領域群を切り換えて選択する記録領域群切り換え手段（トラック切換部２２）と、前記記録領域群切り換え手段により選択された記録領域群において、最適記録条件を試し書きにより最適記録条件を決定する最適記録条件設定手段（記録条件決定部２３）と、それ以外の記録領域群に対して、試し書きにより得られた最適記録条件に対して演算を加えることで最適記録条件を決定する最適記録条件演算手段（記録条件演算部２４）とを具備して構成されていてもよい。
【０１２９】
上記光記録装置は、光記録媒体にあらかじめ記録されている、最適記録条件を演算するための情報を読み出す演算用情報読出し手段（演算用情報管理部２５の取得部２５ａ）を具備していてもよい。
【０１３０】
上記光記録装置は、上記最適記録条件設定手段（記録条件決定部２３）により、各記録領域群で試し書きを行い、それぞれの最適記録条件を決定し、それらの最適記録条件をもとに、最適記録条件を演算するための情報を作成する演算用情報作成手段（演算用情報管理部２５の作成部２５ｂ）を具備していてもよい。
【０１３１】
上記光記録装置は、上記最適記録条件設定手段（記録条件決定部２３）により、最適記録条件を決定する動作を複数回行うとき、少なくとも一回、あるいは複数回ごとにそれぞれの記録領域群の最適記録条件を決定し、最適記録条件を演算するための情報を更新する演算用情報更新手段（演算用情報管理部２５の補正部２５ｃ，更新部２５ｄ）を具備していてもよい。
【０１３２】
上記光記録装置は、新たに作成された、最適記録条件を演算するための情報を光記録媒体に記録する記録手段（演算用情報管理部２５の記録部２５ｅ）を具備していてもよい。
【０１３３】
上記光記録装置は、特性の異なる複数の記録領域群を含む光記録媒体に情報を記録する光記録装置において、少なくとも１つの記録領域群の最適記録条件を試し書きにより決定する最適記録条件設定手段（記録条件決定部２３）と、それ以外の記録領域群は、光記録媒体に記録されている演算のための情報を読出し、試し書きにより得られた最適記録条件に対して演算を加えることで、最適記録条件を決定する最適記録条件演算手段（記録条件演算部２４）とを具備していてもよい。
【０１３４】
上記光記録装置は、上記の特性の異なる複数の記録領域群がランドおよびグルーブであってもよい。
【０１３５】
上記光記録装置は、上記の特性の異なる複数の記録領域群が第１層および第２層のトラックであってもよい。
【０１３６】
上記光記録装置は、上記の特性の異なる複数の記録領域群が第１層および第２層の、ランドおよびグルーブであってもよい。
【０１３７】
また、本発明の光記録装置は、凸部であるランドと案内溝であるグルーブとを有する案内溝つき基板を用いた、ランドおよびグルーブの両方を記録再生用トラックとする光記録媒体に記録する光記録装置において、ランドおよびグルーブの何れか一方のトラックを第１のトラックとして試し書きを行い、第１のトラックに記録する際の記録条件を決定する記録条件決定手段と、上記記録条件決定手段で決定された第１のトラックの記録条件に基づき、演算用情報に従って演算を行って、他方のトラックである第２のトラックに記録する際の記録条件を決定する記録条件演算手段と、上記第１のトラックをランドとグルーブとで切り換えるトラック切換手段と、上記記録条件演算手段に上記演算用情報を提供するとともに、上記トラック切換手段によるトラックの切り換えの際、切り換え前の試し書きの結果と切り換え後の試し書きの結果とに基づいて上記演算用情報を補正する演算用情報管理手段とを具備していてもよい。
【０１３８】
また、本発明の光記録方法は、凸部であるランドと案内溝であるグルーブとを有する案内溝つき基板を用いた、ランドおよびグルーブの両方を記録再生用トラックとする光記録媒体に記録する光記録方法において、ランドおよびグルーブの何れか一方のトラックを第１のトラックとして試し書きを行い、第１のトラックに記録する際の記録条件を決定する記録条件決定処理と、上記記録条件決定処理で決定した第１のトラックの記録条件に基づき、演算用情報に従って演算を行って、他方のトラックである第２のトラックに記録する際の記録条件を決定する記録条件演算処理と、上記第１のトラックをランドとグルーブとで切り換えるトラック切換処理と、上記トラック切換処理によるトラックの切り換えの際、切り換え前の試し書きの結果と切り換え後の試し書きの結果とに基づいて上記演算用情報を補正する演算用情報補正処理とを含んでいてもよい。
【０１３９】
上記の構成および方法により、ランドグルーブ記録用媒体において、特性の異なるランドおよびグルーブの記録条件を、一方のトラック（第１のトラック）は試し書きにより記録条件を決定し、他方のトラック（第２のトラック）は第１のトラックの試し書きの結果に基づき演算用情報に従って演算することで、記録条件を決定する。
【０１４０】
よって、記録感度が異なる２つのトラックに対して、１つのトラックの記録条件は演算により設定できるため、記録条件設定のための時間を短縮することが可能となる。よって、ランドとグルーブとで記録条件が相違する場合に、ランドおよびグルーブの記録条件を求めている間、光記録装置がユーザの指示の下で行うべき記録や再生の動作を中断する時間を短縮できる。したがって、データ転送レートの低下などの光記録装置の性能低下を回避することが可能となる。
【０１４１】
ここで、演算用情報に従って演算されたトラックの記録条件は、実際に試し書きを行って設定されたトラックの記録条件のよりも、精度が劣っている場合があると考えられる。
【０１４２】
そこで、上記の構成および方法では、記録条件の設定が複数回行われるとき、試し書きを行うトラックをランドとグルーブとで切り換えるとともに、トラックの切り換えの際、切り換え前の試し書きの結果と切り換え後の試し書きの結果とに基づいて演算用情報を補正する。
【０１４３】
すなわち、前回の記録条件の設定で、ランドに試し書きを行い、グルーブの記録条件を演算により求めた場合、トラックを切り換えた今回の記録条件の設定では、グルーブの記録条件を試し書きによって決定するとともに、前回のランドの試し書きの結果に基づいてランドの記録条件を求める演算用情報を補正し、補正後の演算用情報に今回のグルーブの試し書きの結果を適用してランドの記録条件を演算により決定する。
【０１４４】
よって、光記録媒体のそれぞれのトラックで試し書きを行った回数や記録環境に偏りが生じないように、試し書きを行うトラックを切り換えて、演算用情報を補正することが可能となる。したがって、演算による記録条件の精度を試し書きによる記録条件に近づけることにより、それぞれのトラックに設定される記録条件の精度の偏りを低減することができる。
【０１４５】
さらに、本発明の光記録装置は、上記演算用情報管理手段は、上記トラックに試し書きを行い、上記演算用情報を作成する作成手段を備えていてもよい。
【０１４６】
上記の構成により、さらに、上記光記録装置は、作成手段によりトラックに試し書きを行い、その結果に基づいて、試し書きをしたトラックの記録条件を求めるための演算用情報を作成することができる。
【０１４７】
よって、演算用情報が光記録装置あるいは光記録媒体にあらかじめ記録されていない場合には、試し書きを行って演算用情報を作成して、記録条件を設定することできる。
【０１４８】
さらに、本発明の光記録装置は、上記演算用情報管理手段は、上記演算用情報を上記光記録媒体へ書き込む記録手段を備えていてもよい。
【０１４９】
上記の構成により、さらに、上記光記録装置は、記録手段により最新の演算用情報を光記録媒体の例えばテスト領域に記録できる。
【０１５０】
よって、光記録媒体ごとに異なる記録条件を求めるための演算用情報を、それぞれの記録媒体に記録することができる。したがって、次回の情報を記録する際に、演算用情報を読み出して利用できるため、記録条件を高精度に設定することが可能となる。また、演算用情報を記録媒体に記録するため、異なる光記録装置でも、同じ演算用情報を利用できる。
【０１５１】
さらに、本発明の光記録装置は、上記演算用情報管理手段は、上記演算用情報を上記光記録媒体から読み出す取得手段を備えていてもよい。
【０１５２】
上記の構成により、さらに、上記光記録装置は、取得手段により光記録媒体の例えばテスト領域に記録されている演算用情報を取得することができる。
【０１５３】
よって、光記録媒体ごとに異なる記録条件を求めるための演算用情報を、それぞれの光記録媒体から読み出すことができる。したがって、光記録媒体に情報を記録する際、記録条件を高精度に設定することが可能となる。また、演算用情報が記録媒体に記録されているため、演算用情報を記録した光記録装置とは異なる光記録装置でも、同じ演算用情報を利用できる。
【０１５４】
また、本発明の光記録装置は、上記の課題を解決するために、凸部であるランドと案内溝であるグルーブとを有する案内溝つき基板を用いた、ランドおよびグルーブの両方を記録再生用トラックとする光記録媒体に記録する光記録装置において、ランドおよびグルーブの何れか一方のトラックを第１のトラックとして試し書きを行い、第１のトラックに記録する際の記録光量を決定する記録条件決定手段と、他方のトラックである第２のトラックのランドおよびグルーブの記録光量の比または差などの所定の定数である演算用情報を上記光記録媒体から読み出す取得手段と、上記記録条件決定手段で決定された第１のトラックの記録光量に基づき、上記取得手段で読み出された上記演算用情報によって決定される演算式に従って演算を行って、第２のトラックに記録する際の記録光量を決定する記録条件演算手段とを具備していてもよい。
【０１５５】
また、本発明の光記録方法は、上記の課題を解決するために、凸部であるランドと案内溝であるグルーブとを有する案内溝つき基板を用いた、ランドおよびグルーブの両方を記録再生用トラックとする光記録媒体に記録する光記録方法において、ランドおよびグルーブの何れか一方のトラックを第１のトラックとして試し書きを行い、第１のトラックに記録する際の記録光量を決定する記録条件決定処理と、他方のトラックである第２のトラックのランドおよびグルーブの記録光量の比または差などの所定の定数である演算用情報を上記光記録媒体から読み出す演算用情報読出処理と、上記記録条件決定処理で決定した第１のトラックの記録光量に基づき、上記演算用情報読出処理で読み出した上記演算用情報によって決定される演算式に従って演算を行って、第２のトラックに記録する際の記録光量を決定する記録条件演算処理とを含んでいてもよい。
【０１５６】
上記の構成および方法により、ランドグルーブ記録用媒体において、特性の異なるランドおよびグルーブの記録光量（記録条件）を、一方のトラック（第１のトラック）は試し書きにより記録条件を決定し、他方のトラック（第２のトラック）は第１のトラックの試し書きの結果に基づき演算用情報に従って演算することで、記録条件を決定する。
【０１５７】
よって、記録感度が異なる２つのトラックに対して、１つのトラックの記録条件は演算により設定できるため、記録条件設定のための時間を短縮することが可能となる。よって、ランドとグルーブとで記録条件が相違する場合に、ランドおよびグルーブの記録条件を求めている間、光記録装置がユーザの指示の下で行うべき記録や再生の動作を中断する時間を短縮できる。したがって、データ転送レートの低下等、光記録装置の性能低下を回避することが可能となる。
【０１５８】
さらに、上記の構成および方法により、光記録媒体の例えばテスト領域に記録されている、光記録媒体ごとに異なる記録光量（記録条件）を求めるための演算用情報を取得することができる。したがって、光記録媒体に情報を記録する際、記録条件を高精度に設定することが可能となる。また、演算用情報が記録媒体に記録されているため、演算用情報を記録した光記録装置とは異なる光記録装置でも、同じ演算用情報を利用できる。
【図面の簡単な説明】
【０１５９】
【図１】図２に示した光記録装置における記録条件の設定に関わる構成を示すブロック図である。
【図２】本発明の一実施の形態に係る光記録装置の構成の概略を示すブロック図である。
【図３】図２に示した光記録装置が行う記録条件設定の動作の概略を示すフローチャートである。
【図４】図２に示した光記録装置が行う記録条件設定の動作の概略を示すフローチャートである。
【図５】図２に示した光記録装置が行う記録条件設定の動作の概略を示すフローチャートである。
【図６】図２に示した光記録装置が行う記録条件設定の動作の概略を示すフローチャートである。
【図７】図２に示した光記録装置により情報が記録される光磁気ディスクを示す説明図である。
【符号の説明】
【０１６０】
１    光記録装置
２２    トラック切換部（トラック切換手段）
２３    記録条件決定部（記録条件決定手段）
２４    記録条件演算部（記録条件演算手段）
２５    演算用情報管理部（演算用情報管理手段）
２５ａ  取得部（取得手段）
２５ｂ  作成部（作成手段）
２５ｅ  記録部（記録手段）
Ｄ    光磁気ディスク（光記録媒体）
Ｓ５，Ｓ６，Ｓ１３，Ｓ１４，Ｓ１７，Ｓ１８  記録条件決定処理
Ｓ８，Ｓ９，Ｓ１９，Ｓ２０  記録条件演算処理
Ｓ１２  トラック切換処理
Ｓ１５  演算用情報補正処理
【図１】
2006179183.tif 000003
【図２】
2006179183.tif 000004
【図３】
2006179183.tif 000005
【図４】
2006179183.tif 000006
【図５】
2006179183.tif 000007
【図６】
2006179183.tif 000008
【図７】
2006179183.tif 000009